(57)【要約】 【課題】  菱形金網製の網板を連結して形成される角形の石詰篭において、各網板の側端部に位置する端部列線が、隣接する列線と端部同士を係合されることなく孤立している場合でも、この端部列線の端部に形成された環が一箇所に集中して骨線の挿通作業や固定作業の邪魔になることがないようにする。【解決手段】  側面網板６，７の一方又は両方の側端部に位置する端部列線６３ｂ，７３ａの長さを他の列線６３，７３よりも短く形成し、この短尺端部列線６３ｂ，７３ａの端部に環１３ａを形成し、この環１３ａを、該短尺端部列線６３ｂ，７３ａの折曲部４に挿通された骨線１０ｂ，１０ｄに嵌合させる。【選択図】        図４
2005146737.tif 000002
【特許請求の範囲】
【請求項１】
扁平螺旋状に折曲した複数の列線の折曲部同士を順次係合させてなる菱形金網によって底面網板と複数の側面網板とを形成し、これらの網板を、相接する辺に位置する列線端の環及び／又は端部列線の折曲部に挿通した骨線を介して相互に連結することにより組み立てられる角形の石詰篭であって、
上記複数の網板のうち少なくとも一部の網板においては、一方又は両方の側端部に位置する端部列線が他の列線よりも短い長さに形成されていて、この短尺端部列線の端部に環が形成され、この環が、該短尺端部列線の折曲部に挿通された骨線に嵌合している、
ことを特徴とする角形石詰篭。
【請求項２】
矩形の底面網板と複数の矩形の側面網板とを有し、これらの底面網板と側面網板とが、扁平螺旋状をなす複数の列線の折曲部同士を順次係合させた網構造の菱形金網により形成されると共に、隣接する網板の相接する辺同士が、各列線端の環及び／又は網板側端部に位置する端部列線の折曲部に挿通した骨線を介して相互に連結され、
上記底面網板及び側面網板のうち少なくとも一部の網板においては、該網板の一方又は両方の側端部に位置する端部列線の長さが他の列線よりも短く形成されていて、この短尺端部列線の端部に環が形成され、この環が、該短尺端部列線の折曲部に挿通された骨線に嵌合している、
ことを特徴とする角形石詰篭。
【請求項３】
上記各網板の互いに接する辺のうち、少なくとも底面網板と側面網板との相接する辺同士が、１本の骨線で相互に連結されていることを特徴とする請求項１又は２に記載の角形石詰篭。
【請求項４】
上記短尺端部列線が側面網板に設けられていて、隣接する側面網板同士で該短尺端部列線が互いに上下反対側の側端部に配設されていることを特徴とする請求項１から３の何れかに記載の角形石詰篭。
【発明の詳細な説明】
【技術分野】
【０００１】
本発明は、内部に石を詰めて護岸工事や宅地造成工事等に使用する角形の石詰篭に関するものである。
【背景技術】
【０００２】
内部に石を詰めて護岸工事や宅地造成工事等に使用する角形の石詰篭は、例えば特許文献１や特許文献２に記載されているように、従来より各種構造を有するものが提案されている。このような石詰篭は、一般に、菱形金網で形成された矩形の底面網板と、前後及び左右の４つの側面網板と、必要に応じて取り付けられる上面網板とからなっていて、これらの各網板を連結することにより組み立てられている。その組立方法としては、特許文献２の図１０に記載されているように、隣接する網板の相接する辺に取り付けられた骨線（枠線）同士を螺旋状の連結金具（スクリューストッパー）で連結する方法や、特許文献２の図１１に底面網板と一対の側面網板とが連結されているように、隣接する網板の相接する辺同士を１本の共通の骨線で連結する方法などが用いられている。
【０００３】
更に具体的に説明すると、前者の方法は、図６に示すように、一方の網板２１の各列線２３の端部の環２４に挿通した骨線２６と、他方の網板２２の側端部に位置する端部列線２３ａの折曲部２５に挿通した骨線２７とを、スクリューストッパ等の連結金具２８で相互に連結するものである。また、後者の方法は、図７に示すように、一方の網板２１の各列線２３の端部の環２４と、他方の網板２２の側端部に位置する端部列線２３ａの折曲部２５とに、１本の共通の骨線２８を挿通して連結するものである。
【０００４】
ところで、上記網板における列線２３の端部に環２４を形成する場合、図６及び７に示すように、隣接する２本の列線２３，２３の端部同士を相互に係合させ、係合する列線端に環２４を形成するのが一般的である。しかし、例えば、網板を形成する列線の本数が奇数本であるような場合には、網板２２に示すように、該網板２２の側端部に位置する端部列線２３ａが、隣接する列線２３と端部同士を相互に係合されることなく、孤立した状態のままになっている場合も多い。
【０００５】
このように網板の端部列線２３ａが孤立していると、その端部に形成した環２４ａは、他の列線端の環２４と同じ方向を向いた状態で、該端部列線２３ａの折曲部２５に挿通される連結用の骨線２７，２８とほぼ同じ位置を占めるため、該骨線２７，２８を挿通する作業や、挿通した骨線の端部を折り曲げて固定する作業などの障害になり、それらの作業を非常に行いづらいという問題が生じる。
因みに、上記網板２２の反対側の端部列線２３ｂのように、隣接する列線２３と端部同士が係合していると、その端部に形成した環２４ｂは骨線２９の位置から外れた位置にくるため、このような問題が生じることはない。
【０００６】
更に、上述したように端部列線が孤立していると、隣接する２つ又は３つの網板を骨線で相互に連結する場合に、各網板の孤立した端部列線の端部の環が一箇所に集中してぶつかり合ってしまい、骨線の取り付けが一層に困難になる。このため、これらの環がぶつからないように互いの位置を調整しながら上記骨線を挿通し、かつ固定しなければならず、作業がますます煩雑になってしまう。
【０００７】
石詰篭に上述したような問題点があると、広大な施工現場に非常に多くの石詰篭を設置する場合に、個々の石詰篭の組み立てから設置完了までの間に非常に煩雑な手間と多くの時間とを費やすことになるため、上述した問題点を解消することは、石詰篭の設置作業の簡略化と迅速化に非常に有効である。
【特許文献１】特開平６−１１６９１９号公報
【特許文献２】特開平８−１３４８６７号公報
【発明の開示】
【発明が解決しようとする課題】
【０００８】
本発明の課題は、菱形金網からなる複数の網板を相互に連結することにより組み立てられる角形の石詰篭において、上記網板の側端部に位置する端部列線が、隣接する列線と端部同士を係合されることなく孤立している場合でも、この端部列線の端部に形成された環が骨線の挿通作業や固定作業の邪魔になったり、一箇所に集中してぶつかり合ったりすることがないようにすることにある。
【課題を解決するための手段】
【０００９】
上記課題を解決するため、本発明によれば、扁平螺旋状に折曲した複数の列線の折曲部同士を順次係合させてなる菱形金網によって底面網板と複数の側面網板とを形成し、これらの網板を、相接する辺に位置する列線端の環及び／又は端部列線の折曲部に挿通した骨線を介して相互に連結することにより組み立てられる角形の石詰篭であって、上記複数の網板のうち少なくとも一部の網板においては、一方又は両方の側端部に位置する端部列線が他の列線よりも短い長さに形成されていて、この短尺端部列線の端部に環が形成され、この環が、該短尺端部列線の折曲部に挿通された骨線に嵌合している角形石詰篭が提供される。
【００１０】
また、本発明によれば、矩形の底面網板と複数の矩形の側面網板とを有し、これらの底面網板と側面網板とが、扁平螺旋状をなす複数の列線の折曲部同士を順次係合させた網構造の菱形金網により形成されると共に、隣接する網板の相接する辺同士が、各列線端の環及び／又は網板側端部に位置する端部列線の折曲部に挿通した骨線を介して相互に連結され、上記底面網板及び側面網板のうち少なくとも一部の網板においては、該網板の一方又は両方の側端部に位置する端部列線の長さが他の列線よりも短く形成されていて、この短尺端部列線の端部に環が形成され、この環が、該短尺端部列線の折曲部に挿通された骨線に嵌合していることを特徴とする角形石詰篭が提供される。
【００１１】
本発明に置いて好ましくは、上記各網板の互いに接する辺のうち、少なくとも底面網板と側面網板との相接する辺同士が、１本の骨線で相互に連結されていることである。
また、上記短尺端部列線が側面網板に設けられていて、隣接する側面網板同士で該短尺端部列線が互いに上下反対側の側端部に配設されていることが望ましい。
【発明の効果】
【００１２】
本発明によれば、網板の一方又は両方の側端部に位置する端部列線の長さを他の列線よりも短く形成し、この短尺端部列線の端部に形成した環を、該短尺端部列線の折曲部に挿通された骨線に嵌合させているので、上記端部列線が、隣接する列線と端部同士を係合されることなく孤立している場合でも、該列線端部の環が、上記骨線の挿通作業や該骨線の端部を折曲して固定する作業等の邪魔になったり、一箇所に集中してぶつかり合ったりすることがなく、石詰篭組立時の作業性に勝れる。
【発明を実施するための最良の形態】
【００１３】
以下、本発明に係る角形石詰篭の代表的な実施形態について図面を参照しながら詳細に説明する。図１に示す石詰篭は、菱形金網で矩形の容器形に形成された篭本体１と、この篭本体１の上面に必要に応じて取り付けられる菱形金網製の矩形の蓋体２とで形成され、内部に栗石等を詰めた状態で護岸工事や宅地造成工事等に使用されるものである。
【００１４】
上記篭本体１は、図２の展開図から明らかなように、何れも矩形形状をした底面網板５と、前後一対の側面網板６，６と、左右一対の側面網板７，７とからなるもので、これらの各網板５，６，７の相接する辺同士を１本の骨線１０ａ〜１０ｃで相互に連結することにより、上述した矩形の容器形に組み立てられている。図中１０ｄ及び１０ｅは、各側面網板６，６及び７，７の上記底面網板５側とは反対側の側端部に取り付けられた骨線である。以下、上記篭本体１の具体的構造について説明する。
【００１５】
なお、上記菱形金網は、図５にその一部を示すように、扁平螺旋状に折曲した複数の列線３を折曲部４において順次係合することにより構成されたもので、このような菱形金網自体の構成は周知のものである。以下の説明においては、底面網板５の列線は符号「５３」で表示し、前後の側面網板６の列線は符号「６３」で表示し、左右の側面網板７の列線は符号「７３」で表示し、蓋体２の列線は符号「８３」で表示し、また、各網板５，６，７の側端部に位置する端部列線は、例えば「５３ａ」、「６３ａ」、「７３ａ」といったように、上記列線符号にアルファベットの小文字を付して表すものとする。
【００１６】
上記篭本体１を形成する底面網板５と前後の側面網板６，６及び左右の側面網板７，７は、それぞれを個別に形成して相互に連結することもできるが、この第１実施形態の石詰篭は、底面網板５と前後の側面網板６，６とが１枚の金網素材により一連に形成され、左右の側面網板７，７がそれぞれ個別に形成されて上記底面網板５に連結されている。一連をなす上記底面網板５と側面網板６，６との境界には、図２及び図３から分かるように、各網板の側端部に位置して互いに係合し合う端部列線５３ａ及び６３ａの折曲部４に１本の骨線１０ａがそれぞれ挿通され、この骨線１０ａによって上記底面網板５と側面網板６とが区画されている。また、上記各側面網板６，６の上記底面網板５側とは反対側の側端部に位置する端部列線６３ｂの折曲部４には、上記骨線１０ｄが挿通されている。
【００１７】
一方、上記底面網板５と左右の側面網板７，７との連結は、次のようにして行われている。即ち、底面網板５における各列線５３，５３ａの両端部には、連結用の環１２がそれぞれ形成されており、これに対して上記左右の側面網板７，７は、その列線７３を底面網板５の列線５３とは直交する方向に向けて配設され、この側面網板７，７の側端部に位置する端部列線７３ａの折曲部４と上記底面網板５の列線端の環１２とに１本の共通の骨線１０ｂを挿通することにより、これらの底面網板５と側面網板７，７とが相互に結合されている。そして、上記各側面網板７，７の上記底面網板５側とは反対側の側端部に位置する端部列線７３ｂの折曲部４には、上記骨線１０ｅが挿通されている。
【００１８】
上記各側面網板６及び７における各列線６３，６３ａ，６３ｂ及び７３，７３ａ，７３ｂの両端部には、底面網板５の各列線と同様に連結用の環１３，１３ａがそれぞれ形成され、上記各骨線１０ａ〜１０ｅの両端部にもそれぞれ同様の環１４が形成されている。この場合、上記底面網板５と各側面網板６，７においては、隣接する２本の列線の端部が相互に係合されているが、このうち各側面網板６，７においては、列線の本数が奇数本であるため、該側面網板６，７の両側端部に位置する２本の端部列線のうち何れか一方の端部列線６３ｂ，７３ａは、隣接する列線６３，７３と端部同士が係合しない孤立した端部列線となっている。
【００１９】
上記孤立した端部列線６３ｂ，７３ａは、その長さを他の列線６３，７３よりも短く形成することにより短尺端部列線とされると共に、この短尺端部列線６３ｂ，７３ａの両端部に、同じ網板内の他の列線６３，７３の端部の環１３とは９０度異なる向きで上記環１３ａが形成され、この環１３ａが、該短尺端部列線６３ｂ，７３ａの折曲部４に挿通された骨線１０ｄ，１０ｂに嵌合している。従って、これらの短尺端部列線６３ｂ，７３ａの環１３ａは、他の列線６３，７３の環１３と同じ網板端の位置にはなく、この環１３ａが上記骨線１０ｄ，１０ｂと嵌合する位置は、網板端よりも該網板の長さ方向内側寄りの位置である。
【００２０】
なお、上記短尺端部列線６３ｂ，７３ａの端部の環１３ａに骨線１０ｄ，１０ｂを嵌合させる場合、各列線端に予め上記環１３ａを形成しておき、この環１３ａに上記骨線１０ｄ，１０ｂを挿通させるようにしても良いが、短尺端部列線６３ｂ，７３ａの端部を上記骨線１０ｄ，１０ｂに巻き付けることによって環１３ａを形成しても良い。
【００２１】
このように、端部列線６３ｂ，７３ａの長さを短く形成し、この短尺端部列線の端部に形成した環１３ａを該短尺端部列線６３ｂ，７３ａの折曲部４に挿通された骨線１０ｄ，１０ｂに嵌合させることにより、これらの端部列線６３ｂ，７３ａが隣接する列線６３，７３と端部同士を係合されることなく孤立している場合であっても、該列線端部６３ｂ，７３ａの環１３ａが、上記骨線１０ｄ，１０ｂの挿通作業や該骨線の端部を折曲して固定する作業等の邪魔になることがない。
【００２２】
また、上記短尺端部列線６３ｂ，７３ａのうち、左右の側面網板７，７の短尺端部列線７３ａは、底面網板５側（下端側）の側端部に配設され、一方、これらの側面網板７，７と隣接する前後の側面網板６，６の短尺端部列線６３ａは、底面網板５側とは反対側（上端側）の側端部に配設されていて、各側面網板６，７を図４のように起立して相対する側辺同士を骨線１０ｃで連結する際に、これらの短尺端部列線６３ｂ，７３ａの環１３ａが一箇所に集中することなく、分散して位置するようになっている。
図中１１ａ，１１ｂは、底面網５及び前後の側面網６，６の中間位置に取り付けた補強用の骨線である。
【００２３】
一方、上記蓋体２は、４つの辺にそれぞれ骨線１６ａ，１６ｂを取り付けて形成したもので、列線８３の軸線方向両端側の２つの辺においては、各列線８３の端部に形成した環１３に上記骨線１６ａが挿通され、列線８３の軸線と平行する他の２つの辺においては、端部列線８３ａの折曲部４に上記骨線１６ｂが挿通されている。この場合、上記端部列線８３ａが隣接する列線８３と端部同士が係合しない孤立した列線であるときは、上記側面網板６，７の孤立した短尺端部列線６３ｂ，７３ａと同様に、該端部列線８３ａを短尺に形成して環１３を上記骨線１６ｂに嵌合させることもできるが、必ずしもそのように構成する必要はない。
【００２４】
上記篭本体１を図２の展開状態から容器形に組み立てるときは、図１及び図４に示すように、前後の側面網板６，６と左右の側面網板７，７とをそれぞれ起立させ、隣接する側面網板６と７との相接する辺に形成された列線端の環１３と、骨線１０ａ，１０ｂ，１０ｄ，１０ｅの環１４とを、互いに同一軸線上に位置させた状態で、これらの環１３，１４に１本の共通の骨線１０ｃを挿通させ、該骨線１０ｃの端部を上記他の骨線と結合するなどして固定処理する。この場合、上述したように、各側面網板６，７の端部列線６３ｂ，７３ａを他の列線６３，７３よりも短く形成し、それらの端部の環１３ａが一箇所に集中することがないようにして互いにぶつかり合うのを防止すると共に、骨線の挿通作業やその端部を折曲して固定する作業等の邪魔にならないようにしているため、それらの作業を容易に行うことができる。しかも、隣接する位置にある前後の側面網板６，６と左右の側面網板７，７とで、上記端部列線６３ｂ，７３ａを互いに上下逆の側端部側に配設しているため、上述した効果がより顕著なものとなる。
また、各網板５，６，７の相接する辺同士が１本の骨線によって連結されるため、連結された網板間の遊びが殆どなく、石詰篭の寸法精度に勝れる。
【００２５】
そして、上記篭本体１の内部に栗石等を充填し、必要に応じて蓋体２を取り付けた状態で現場に設置する。この場合、複数の石詰篭を横に並べて設置するだけでなく、上下に段積して設置する場合もあり、このような場合には、下段の石詰篭の上面が上段の石詰篭の底面網板によって覆われるため、下段の石詰篭には上記蓋体２を取り付ける必要がなく、該蓋体２は最上段の石詰篭だけに取り付けられる。従って、石詰篭にとって上記蓋体２は必ずしも必要なものではない。
【００２６】
なお、上記篭本体１に対する蓋体２の取り付けは、各側面網板６，７の上端に取り付けられた骨線１０ｄ，１０ｅと、蓋体２の４辺に取り付けられた骨線１６ａ，１６ｂとを、スクリューストッパ等の適宜連結金具で行うことができる。
【００２７】
上記実施例では、底面網板５と側面網板７との相接する辺同士、及び隣接する側面網板６と７との相接する辺同士が、何れも１本の骨線１０ｂ，１０ｃで連結されているが、上記網板の各辺に個別に骨線を挿通し、隣接する骨線同士をスクリューストッパのような連結金具で相互に連結しても良い。しかし、石詰篭の寸法精度を高めるためには、少なくとも底面網板５と側面網板７との相接する辺同士を１本の骨線１０ｂで相互に連結することが望ましい。前後の側面網板６，６が底面網板５と別に形成されている場合も、これらの底面網板５と側面網板６との相接する辺に骨線を個別に挿通し、これらの骨線同士をスクリューストッパのような連結金具で相互に連結しても良いが、両網板５及び６の相接する辺同士を１本の骨線で相互に連結することが望ましい。
【００２８】
また、上記実施例の石詰篭は、４つの側面網板６，６，７，７を備えているが、前後の側面網板６，６のうちの何れか一方か、又は左右の側面網板７，７のうちの何れか一方を省略することができる。あるいは、前後の側面網板６，６のうちの何れか一方と、左右の側面網板７，７のうちの何れか一方とをそれぞれ省略し、底面網板５と、前後何れか一方の側面網板６と、左右何れか一方の側面網板７とで石詰篭を形成することもできる。このような石詰篭は、側面網板が設けられていない面に、隣接する石詰篭の側面網板が位置するように配列して順次連結することにより、隣接する石詰篭に上記側面網板を共有させた状態で設置することができ、該側面網板が重複する無駄を省くことができる。
【図面の簡単な説明】
【００２９】
【図１】本発明に係る石詰篭の斜視図である。
【図２】篭本体の展開図である。
【図３】図２の部分拡大図である。
【図４】図１の部分拡大図である。
【図５】菱形金網の部分平面図である。
【図６】網板の連結方法の一例を示す要部平面図である。
【図７】網板の連結方法の他例を示す要部平面図である。
【符号の説明】
【００３０】
３，５３，６３，７３，５３ａ，６３ａ，６３ｂ，７３ａ，７３ｂ      列線
４      折曲部
５      底面網部
６，７      側面網部
１０ａ，１０ｂ，１０ｃ，１０ｄ，１０ｅ      骨線
１２，１３，１３ａ，１４      環
【図１】
2005146737.tif 000003
【図２】
2005146737.tif 000004
【図３】
2005146737.tif 000005
【図４】
2005146737.tif 000006
【図５】
2005146737.tif 000007
【図６】
2005146737.tif 000008
【図７】
2005146737.tif 000009